(57)【要約】【課題】防寒用ウェアの風除け構造を改良して、防寒用ウェアの襟元近傍に設けられる風除けが、該襟元近傍を密閉するためのファスナーのスライダーに当たって動きを係止してしまったり、ファスナーのスライダーに風除けが噛まれてファスナーのスライダーが係止することを防止できる防寒ウェアの風除け構造を提供する。【解決手段】防寒用ウェアの前身頃前開き部分に設けられたスライドファスナー、該スライドファスナーのファスナーテープ裏面に縫着して設けられた風除け、該風除けの下方先端部にファスナースライダー用方向規制片を接合固着した。【選択図】図２
0003134539.tif 000002
【実用新案登録請求の範囲】
【請求項１】
防寒用ウェアの前身頃前開き部分に設けられたスライドファスナー、該スライドファスナーのファスナーテープ裏面に縫着して設けられた風除け、該風除けの下方先端部にファスナースライダー用方向規制片を接合固着したこと、
を特徴とする防寒用ウェアの風除け構造。
【請求項２】
前記風除けの下方先端部に接合固着されるファスナースライダー用の方向規制片は、該風除けの下方先端部の表面、または裏面、或いは風除けの下方先端部を構成する構成部材内部に重ねて挟持した形状にて接合固着すること、
を特徴とする請求項１に記載された防寒用ウェアの風除け構造。
【請求項３】
前記風除けの下方先端部に接合固着されるファスナースライダー用の方向規制片は、該風除けの下方先端部の表面、または裏面、或いは風除けの下方先端部を構成する構成部材内部に重ねて挟持した形状にて接合固着すると共に、前記それぞれの部位に接合固着されるファスナースライダー用の方向規制片の形状は、
風除けの下方先端部より若干下部方向にはみ出した形にて接合固着すること、
または風除けの下方先端部に長さを合わせた形で接合固着すること、
或いは風除けの先端部形状とあわせた形にて接合固着すること、
を特徴とする請求項１または請求項２のいずれかに記載された防寒用ウェアの風除け構造。
【請求項４】
前記風除けの下方先端部に接合固着されるファスナースライダー用の方向規制片を薄手の樹脂製となし、好ましくはウレタン樹脂製とすること、
を特徴とする請求項１乃至請求項３のいずれかに記載された防寒用ウェアの風除け構造。
【請求項５】
前記風除けの下方先端部に接合固着されるファスナースライダー用方向規制片の接合固着手段が、縫着であること、
を特徴とする請求項１乃至請求項４のいずれかに記載された防寒用ウェアの風除け構造。
【請求項６】
前記風除けの下方先端部に接合固着されるファスナースライダー用の方向規制片は、先端部で予め折れ線加工をなし、着用者の身体方向に折り曲げられた形状を有していること、
を特徴とする請求項１乃至請求項５のいずれかに記載された防寒用ウェアの風除け構造。
【請求項７】
前記風除けの下方先端部に接合固着されるファスナースライダー用の方向規制片は、先端部で着用者の身体方向に折り曲げられた形状を有し、該折り曲げ角度は５度から４０度の範囲内であり、好ましくは１０度から２０度の範囲内であること、
を特徴とする請求項１乃至請求項６のいずれかに記載された防寒用ウェアの風除け構造。
【考案の詳細な説明】
【技術分野】
【０００１】
本考案は、防寒用ウェアの風除け構造に関するものであり、本考案の目的は、防寒用ウェアの襟元近傍に設けられる風除けが、該襟元近傍を密閉するためのファスナーのスライダーに当たって動きを係止してしまったり、ファスナーのスライダーに風除けが噛まれてファスナーのスライダーが係止することを防止する防寒ウェアの風除け構造を提供するものである。
【０００２】
防寒用ウェアやスキーウェア等、前身頃部を前開きとなし、該前開き部分にスライドファスナーを設けて装着をする形式のウェアにおいて、該スライドファスナーは、外部側に設けらておりファスナー部を覆い隠してカバーする玉縁により風雪の侵入を防ぐ構造が設けられている。
【０００３】
また、前記スライドファスナーは、着用者の襟元近傍を開閉して襟首の圧迫感を調整したり、インナーポケットから必要な物を取り出す際に大きく開閉する場合が度々ある。
【０００４】
而して、この場合のスライドファスナーによる襟元近傍の開閉は、該襟元近傍からの寒気や風雪をウェア内に取り込んでしまうことになる。従って、防寒ウェア等に設けられる風除けとは、胸から襟元近傍のファスナー開口部のファスナーテープ裏面に沿って、Ｖネック形状の当て布を設けて、該当て布にてファスナー開口部をカバーして、寒気や風雪をウェア内に取り込まないものである。
【０００５】
然しながら、従来の風除けは、Ｖネック形状の当て布を胸から襟元近傍のファスナー開口部でファスナーテープ裏面に接合状態で縫着しており、
スライドファスナーを閉めるために、ファスナーのスライダーを下方から引き上げるとファスナースライダーが風除けの下方先端部にあたって、動きを係止してしまったり、ファスナーのスライダーに風除けが噛まれてファスナーのスライダーが係止してしまう欠点があった。
【考案の開示】
【考案が解決しようとする課題】
【０００６】
而して、本考案が解決しようとする課題は、防寒用ウェアの風除け構造も改良して、防寒用ウェアの襟元近傍に設けられる風除けが、該襟元近傍を密閉するためのファスナーのスライダーに当たって動きを係止してしまったり、ファスナーのスライダーに風除けが噛まれてファスナーのスライダーが係止することを防止できる防寒ウェアの風除け構造を提供するものである。
【課題を解決するための手段】
【０００７】
本考案は、防寒用ウェアの前身頃前開き部分に設けられたスライドファスナー、該スライドファスナーのファスナーテープ裏面に縫着して設けられた風除け、該風除けの下方先端部にファスナースライダー用方向規制片を接合固着したことを最も主要な特徴とする防寒用ウェアの風除け構造である。
【０００８】
本考案において、風除けの下方先端部に接合固着されるファスナースライダー用の方向規制片は、該風除けの下方先端部の表面、または裏面、或いは風除けの下方先端部を構成する構成部材内部に重ねて挟持した形状にて接合固着することが好ましい。
【０００９】
また、本考案において、風除けの下方先端部に接合固着されるファスナースライダー用の方向規制片は、該風除けの下方先端部の表面、または裏面、或いは風除けの下方先端部を構成する構成部材内部に重ねて挟持した形状にて接合固着すると共に、前記それぞれの部位に接合固着されるファスナースライダー用の方向規制片の形状は、風除けの下方先端部より若干下部方向にはみ出した形にて接合固着すること、または風除けの下方先端部に長さを合わせた形で接合固着すること、或いは風除けの先端部形状とあわせた形にて接合固着することが好ましい。
【００１０】
次に、本考案において、風除けの下方先端部に接合固着されるファスナースライダー用の方向規制片を薄手の樹脂製となし、更にはウレタン樹脂であることが好ましい。
【００１１】
また、本考案において、前記風除けの下方先端部に接合固着されるファスナースライダー用方向規制片の接合固着手段は、縫着であることが好ましい。
【００１２】
更に、本考案において、前記風除けの下方先端部に接合固着されるファスナースライダー用の方向規制片は、先端部で予め折れ線加工をなし、着用者の身体方向に折り曲げられた形状を有していることが好ましい。
【００１３】
そして、本考案においては、前記風除けの下方先端部に接合固着されるファスナースライダー用の方向規制片は、先端部で着用者の身体方向に折り曲げられた形状を有し、該折り曲げ角度は５度から４０度の範囲内であること、更には１０度から２０度の範囲内であること、が好ましい。
【考案の効果】
【００１４】
斯くして、本考案は、防寒用ウェアにおいて、該防寒用ウェアの襟元近傍に設けられる風除けが、該襟元近傍を密閉するためのファスナーのスライダーに当たって動きを係止してしまったり、ファスナーのスライダーに風除けが噛まれてファスナーのスライダーが係止することを完全に防止することができた。
【考案を実施するための最良の形態】
【００１５】
本考案は防寒ウェアのみならず、スキーウェア、ヤッケ、ヨットパーカー等の上衣服に実施できるものである。
【００１６】
図１において、本考案の風除け、並びにファスナースライダー用の方向規制片の使用位置を説明する。
【００１７】
図１は、防寒ウェアの一例を示す概略図であり、図１において、１は防寒ウェア、２は該防寒ウェア１に設けられた前身頃前開き部分、３は該前開き部分に縫着されたスライドファスナー、４はスライドファスナーのスライダーで、該スライダー４には引き手５が設けられている。
【００１８】
而して、前記スライドファスナー３の片側で胸から襟元近傍のファスナー開口部６のファスナーテープ裏面（ファスナー３の裏側に位置する）に沿って、Ｖネック形状の当て布７を設けており、該当て布７と該当て布７の下部先端部に位置するスライダー用方向規制片８が、本考案の風除け９である。
【００１９】
尚、図１において、１０はスライドファスナー３をカバーする防寒ウェア１の玉縁、１１、１１はポケット、１２はフードを示している。
【００２０】
斯くして、防寒ウェア等に設けられる風除け９とは、胸から襟元近傍のファスナー開口部６のファスナーテープ裏面（図示せず）に沿って、Ｖネック形状の当て布７を設けて、該当て布７にてファスナー開口部６をカバーして、寒気や風雪をウェア内に取り込まないものである。
【００２１】
然しながら、従来の風除け９は、Ｖネック形状の当て布７を胸から襟元近傍のファスナー開口部６でファスナーテープ裏面に接合状態で縫着しており、スライドファスナー３を閉めるために、ファスナー３のスライダー４を下方から引き上げると、スライダー４が風除け９の当て布７の下方先端部であたって、動きを係止してしまう欠点や、ファスナー３のスライダー４に風除け９の当て布７が噛まれてファスナー２のスライダー４が係止してしまう欠点があった。
【００２２】
本考案は、前記従来の風除けの欠点を解消するもので、防寒用ウェア１の前身頃前開き部分に設けられたスライドファスナー３、該スライドファスナー３のファスナーテープ裏面に縫着して設けられる風除け９、該風除け９の下方先端部にファスナースライダー用方向規制片８を接合固着したものである。
【実施例１】
【００２３】
図２は、図１の風除け９、ファスナースライダー用方向規制片８、並びにファスナー３とスライダー４部分の拡大説明図であり、図２において、３はスライドファスナー３、４はスライダー、５は引き手、６はファスナー開口部、７は風除け９を構成する当て布、８はスライダー用方向規制片、９は風除けをそれぞれ示している。
【００２４】
而して、図２はファスナー３の一部分を切欠いた説明図を構成しており、該切欠部には当て布７からなる風除け９とスライダー用方向規制片８の形状や取付部位、そして、風除け９とスライダー用方向規制片８との配列関係を理解できる。
【００２５】
また、図２において１３はファスナーテープ、１４は前記スライダー用方向規制片の先端部、１５は防寒ウェア１の前身頃を形成する生地部で、前記スライダー用方向規制片７はファスナー３の裏面に配置されたファスナーテープ１３に接触した状態にて、その端部１６を生地部１５に固着され他は、風除け９を構成する当て布７に固着されて、該先端部を当て布７の下端より下方に突出している。
【００２６】
また、前記スライダー用方向規制片の先端部１４は図中の折り曲げラインＣ−Ｃに沿って予め防寒ウェア１に着用者の身体側に折り曲げられており、ファスナー３を下側から引き上げて閉鎖する際に、ファスナー３のスライダー４を円滑に風除け９上にスライドすることができ、従来例の如く、スライダー４が風除け９の当て布７の下方先端部であたって、動きを係止してしまうことや、スライダー４に風除け９の当て布７が噛まれてファスナー２のスライダー４が係止してしまうこと防止できた。
【００２７】
斯くして、実施例１は、防寒用ウェア１の前身頃前開き部分２に設けられたスライドファスナー３、該スライドファスナー３のファスナーテープ１３裏面に縫着して設けられた風除け９、該風除け９の下方先端部にファスナースライダー用方向規制片８を接合固着した防寒用ウェアの風除け構造を提供するものである。
【００２８】
そして、より具体的には、前記風除け９の下方先端部に接合固着されるファスナースライダー用の方向規制片８は該風除け９の下方先端部より若干下部方向にはみ出した形状にて風除け９の表面に接合固着されているものである。
【００２９】
また、前記風除け９の下方先端部に接合固着されるファスナースライダー用の方向規制片８を薄手の樹脂製となし、更には該ファスナースライダー用の方向規制片８はウレタン樹脂にて製作されていることが好ましい。
【００３０】
更に、本考案の風除け９の下方先端部に接合固着されるファスナースライダー用方向規制片８の接合固着手段は縫着であることが好ましく、前記風除け９の下方先端部に接合固着されるファスナースライダー用の方向規制片８は先端部で折り曲げラインＣ−Ｃに沿って予め折れ線加工をなし、着用者の身体方向に折り曲げられた形状を有している。
【００３１】
そして、前記風除け９の下方先端部に接合固着されるファスナースライダー用の方向規制片８は、先端部で着用者の身体方向に折り曲げられた形状を有し、該折り曲げ角度Ｒは５度から４０度の範囲内であり、更には１０度から２０度の範囲内であることが好ましい。
【実施例２】
【００３２】
図３乃至図８は実施例２を説明するもので、図３はスライダー用方向規制片を示す正面図、図４は図３の側面図を示している。
また、図５と図６、図７と図８の配列も同様で、図中の同一符号は同一構成要素を示している。
【００３３】
而して、図３並びに図４において、８はスライダー用方向規制片、１４はスライダー用方向規制片の先端部、１６はスライダー用方向規制片の端部、Ｃ−Ｃは折り曲げ加工線、角度Ｒはスライダー用方向規制片の先端部１４の曲げ角度を示している。
【００３４】
実施例２において、風除け９の下方先端部に接合固着されるファスナースライダー用の方向規制片８は、先端部で着用者の身体方向に折り曲げられた形状を有し、該折り曲げ角度は５度から４０度の範囲内であり、好ましくは１０度から２０度の範囲内であることが好ましい。
【００３５】
また、図３、並びに図４のスライダー用方向規制片８は、実施例１にて説明ものであるが、スライダー用方向規制片の先端部１４の先端部形状はアール型で特徴ある形状を有している。
【００３６】
そして、図５、図６、並びに図７、図８にて示す他のスライダー用方向規制片の先端部１４の先端部形状は、図５の形状が方形、図７の形状がテーパー形状を有し、該形状例がファスナーのスライダーを円滑にスライド可能である。
【実施例３】
【００３７】
図９乃至図１１は実施例３を説明するもので、それぞれ風除けとスライダー用方向規制片との取り付け位置関係を説明する側面図である。
【００３８】
図９乃至図１０において、９は風除け、８はスライダー用方向規制片であり、該スライダー用方向規制片８は実施例１において説明した如く、先端部で折り曲げラインに沿って予め折れ線加工をなし、着用者の身体方向に折り曲げられた形状を有している。
【００３９】
そして、図９においては、前記風除け９の下方先端部に接合固着されるファスナースライダー用の方向規制片８は、該風除け９の下方先端部の表面にその下方先端部を重ねた形状にて接合固着されていて、当て布にて構成された風除け９の下方先端部を設定角度に折り曲げている。
【００４０】
また、図１０においては、前記風除け９の下方先端部に接合固着されるファスナースライダー用の方向規制片８は、該風除け９の下方先端部の裏面にその下方先端部を重ねた形状にて接合固着されていて、当て布にて構成された風除け９の下方先端部を図９同様に設定角度に折り曲げている。
【００４１】
更に、図１１においては、前記風除け９の下方先端部に接合固着されるファスナースライダー用の方向規制片８は該風除け８の下方先端部を構成する構成部材１７、１７内部に挟持された形で接合固着されていて、前記構成部材１７，１７からなる風除け９の下方先端部を図９、図１０同様に設定角度に折り曲げている。
【００４２】
而して、実施例３においても、前記スライダー用方向規制片８の先端部は、予め防寒ウェア１に着用者の身体側に折り曲げられており、該スライダー用の方向規制片８は、風除け８の下方先端部を着用者の身体側に折り曲げる作用をなし、ファスナー３を下側から引き上げて閉鎖する際に、ファスナー３のスライダー４を円滑に風除け９上にスライドすることができる。
【００４３】
従って、実施例３は、従来例の如く、スライダー４が風除け９の当て布７の下方先端部であたって、動きを係止してしまうことや、スライダー４に風除け９の当て布７が噛まれてファスナー２のスライダー４が係止してしまうこと防止できる。
【００４４】
また、実施例３は、図９乃至図１０に基づいて、前記風除け９の下方先端部に接合固着されるファスナースライダー用の方向規制片８が、該風除け９の下方先端部の表面（図９に示す）、または裏面（図１０に示す）、或いは風除け９の下方先端部を構成する構成部材内部に重ねて挟持した形状（図１１に示す）にて接合固着する実施例を示しているが、本考案は、前記実施例３を採用しながら、それぞれの部位に接合固着されるファスナースライダー用の方向規制片８の形状を風除け９の下方先端部より若干下部方向にはみ出した形にてそれぞれ接合固着する実施例も実用に供することができる。
【００４５】
更に本考案は、実施例３の他の形態として、前記図３乃至図８にて説明した形状の異なるファスナースライダー用の方向規制片８をそれぞれ風除け９の下方先端部に長さを合わせた形で接合固着することや、或いは風除け９の先端部形状とあわせた形にて、前記図３乃至図８にて説明した形状のファスナースライダー用の方向規制片８を風除け９に接合固着することも可能である。
【産業上の利用可能性】
【００４６】
斯くして、本考案は、防寒用ウェアのみならず種々上衣服において、襟元近傍に設けられる風除けが、該襟元近傍を密閉するためのファスナーのスライダーに当たって動きを係止してしまったり、ファスナーのスライダーに風除けが噛まれてファスナーのスライダーが係止することを完全に防止することができるもので、その産業上の利用価値は頗る多大である。
【図面の簡単な説明】
【００４７】
【図１】防寒ウェアの概要並びに本考案の実施部位を説明する概観図である。
【図２】本考案の実施例１を説明する要部拡大図である。
【図３】本発明の実施例２を説明する正面図である。
【図４】図３の側面である。
【図５】本発明の実施例２を説明する正面図である。
【図６】図５の側面である。
【図７】本発明の実施例２を説明する正面図である。
【図８】図７の側面である。
【図９】本発明の実施例３を説明する側面図である。
【図１０】本発明の実施例３を説明する側面図である。
【図１１】本発明の実施例３を説明する側面図である。
【符号の説明】
【００４８】
１  防寒ウェア
２  前身頃前開き部
３  スライドファスナー
４  スライダー
５  引き手
６  ファスナー開口部
７  当て布
８  スライダー用方向規制片
９  風除け
１０  玉縁
１１  ポケット
１２  フード
１３  ファスナーテープ
１４  スライダー用方向規制片の先端部
１５  防寒ウェアの生地部
１６  スライダー用方向規制片の端部
１７  風除けの下方先端部を構成する構成部材
【図１】
0003134539.tif 000003
【図２】
0003134539.tif 000004
【図３】
0003134539.tif 000005
【図４】
0003134539.tif 000006
【図５】
0003134539.tif 000007
【図６】
0003134539.tif 000008
【図７】
0003134539.tif 000009
【図８】
0003134539.tif 000010
【図９】
0003134539.tif 000011
【図１０】
0003134539.tif 000012
【図１１】
0003134539.tif 000013